【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】入力信号の第１のフィルタ処理された信号を発生するステップと、
前記第１のフィルタ処理された信号を第１の丸められた信号に丸めるステップと、
前記第１の丸められた信号と前記入力信号を合成して、第１のフィルタ誤差又は符号化された信号を算出するステップと、
を有するフィルタ処理方法において、
前記第１のフィルタ処理された信号を発生するステップが、
ソース信号の第２のフィルタ処理された信号を発生するステップと、
前記第２のフィルタ処理された信号を第２の丸められた信号に丸めるステップと、
前記第２の丸められた信号を前記ソース信号と合成して、第２のフィルタ誤差を算出するステップと、
を含むような少なくとも１つのフィルタ処理ステップを含んでいることを特徴とするフィルタ処理方法。
【請求項２】請求項１に記載の方法において、前記第１のフィルタ処理された信号を発生するステップが、
最後の第２のソース信号の最後の第２のフィルタ処理された信号を発生するステップのみを含むような最後のフィルタ処理ステップを含んでいることを特徴とする方法。
【請求項３】請求項１又は請求項２に記載の方法において、
前記第１のフィルタ処理された信号を発生するステップが、少なくとも２つのフィルタ処理ステップを含み、
前記第１のフィルタ処理された信号を発生するステップが、前記第１のフィルタ処理された信号を発生するために、前記第２のフィルタ処理された信号を合成するステップを更に含んでいる、
ことを特徴とする方法。
【請求項４】請求項１ないし３の何れか一項に記載の方法において、当該方法は予測フィルタ処理方法であり、前記第１のフィルタ処理された信号を発生するステップが前記入力信号の第１の予測信号を発生する予測フィルタ処理ステップであり、前記第２のフィルタ処理された信号を発生するステップが前記ソース信号の第２の予測信号を先行するソース信号に基づいて発生する予測フィルタ処理ステップであることを特徴とする方法。
【請求項５】請求項１ないし４の何れか一項に記載の方法において、前記第２のフィルタ処理された信号が、少なくも前記第１の丸められた信号の最下位桁の精度を持つような第２の丸められた信号に丸められることを特徴とする方法。
【請求項６】請求項５に記載の方法において、前記第１のフィルタ処理された信号を丸めるステップにおいて、前記第１のフィルタ処理された信号が最大で前記入力信号の最下位桁の精度を持つような第１の丸められた信号に丸められることを特徴とする方法。
【請求項７】請求項１ないし６の何れか一項に記載の方法において、前記第２の予測信号を予測するステップが、有限インパルス応答方法を用いて実行されることを特徴とする方法。
【請求項８】請求項１ないし６の何れか一項に記載の方法において、前記第２の予測信号を予測するステップが、無限インパルス応答方法を用いて実行されることを特徴とする方法。
【請求項９】請求項１ないし８の何れか一項に記載の方法において、前記各フィルタ処理ステップにおいて、先行する繰り返しの前記第２のフィルタ誤差が後続するフィルタ処理ステップ用の前記ソース信号として使用され、前記入力信号が前記第２のフィルタ処理された信号を発生する最初のフィルタ処理ステップ用のソース信号として使用されることを特徴とする方法。
【請求項１０】請求項１ないし９の何れか一項に記載の方法において、前記入力信号が１ビット信号であり、前記第１の予測信号を丸めるステップがSIGN演算であり、前記第１の予測誤差又は符号化された信号を算出するステップが排他的論理和演算であることを特徴とする方法。
【請求項１１】第１の丸められた信号を入力信号と合成して、出力信号を算出するステップと、
前記出力信号の第１のフィルタ処理された信号を発生するステップと、
前記第１のフィルタ処理された信号を前記第１の丸められた信号に丸めるステップと、
を含むフィルタ処理方法において、
前記第１のフィルタ処理された信号を発生するステップが、
ソース信号の第２のフィルタ処理された信号を発生するステップと、
前記第２のフィルタ処理された信号を第２の丸められた信号に丸めるステップと、
前記第２の丸められた信号を前記ソース信号と合成して、第２のフィルタ誤差を算出するステップと、
を含む少なくとも１つのフィルタ処理ステップを含むことを特徴とするフィルタ処理方法。
【請求項１２】入力信号を入力する入力ポートと、
前記入力ポートに接続され、第１の丸められた信号を前記入力信号と合成することにより出力信号を算出する第１の合成装置と、
フィルタ構造と、
を含むようなフィルタ装置であって、前記フィルタ構造が、
前記第１の合成装置に接続されて、第１のフィルタ処理された信号を発生する第１のフィルタ装置と、
前記第１のフィルタ装置及び前記第１の合成装置に接続されて、前記第１のフィルタ処理された信号を前記第１の丸められた信号に丸める第１の丸め器装置と、
を含み、前記フィルタ装置が前記第１の合成装置に接続された出力ポートを更に含むようなフィルタ装置において、
前記第１のフィルタ装置が、
ソース信号の第２のフィルタ処理された信号を発生する第２のフィルタ手段と、
前記第２のフィルタ手段に接続されて、前記第２のフィルタ処理された信号を第２の丸められた信号に丸める第２の丸め器装置と、
前記第２の丸め器装置に接続されて、前記ソース信号を前記第２の丸められた信号と合成することにより第２のフィルタ誤差を算出する第２の合成装置と、
を含む少なくとも１つの第２のフィルタ装置を含んでいることを特徴とするフィルタ装置。
【請求項１３】請求項１２に記載のフィルタ装置において、前記第１のフィルタ装置が、ソース信号の最後の第２のフィルタ処理された信号を発生する最後の第２のフィルタ手段のみを含むような最後の第２のフィルタ装置を含むことを特徴とするフィルタ装置。
【請求項１４】請求項１２又は請求項１３に記載のフィルタ装置において、前記第１のフィルタ装置が少なくとも２つの第２のフィルタ装置を含み、前記第１のフィルタ装置が、前記第２のフィルタ装置の前記第２のフィルタ手段に接続されて前記第２のフィルタ処理された信号を合成することにより第１のフィルタ処理された信号を得るような第３の合成装置を含み、該第３の合成装置が前記第１の丸め器装置に接続されていることを特徴とするフィルタ装置。
【請求項１５】請求項１２ないし１４の何れか一項に記載のフィルタ装置において、当該フィルタ装置が予測フィルタ装置であり、前記フィルタ構造が予測フィルタ構造であり、前記第１及び第２のフィルタ装置が予測フィルタ装置であり、前記第２フィルタ手段が予測フィルタ手段であり、前記入力信号が予測フィルタ処理された信号であることを特徴とするフィルタ装置。
【請求項１６】請求項１２ないし１５の何れか一項に記載のフィルタ装置において、前記第２の丸め器装置が、少なくとも前記第１の丸められた信号の最下位桁の丸め精度を有していることを特徴とするフィルタ装置。
【請求項１７】請求項１６に記載のフィルタ装置において、前記第１の丸め器装置が、最大で前記入力信号の最下位桁の丸め精度を有していることを特徴とするフィルタ装置。
【請求項１８】請求項１２ないし１７の何れか一項に記載のフィルタ装置において、前記第２のフィルタ手段が有限インパルス応答フィルタ手段であることを特徴とするフィルタ装置。
【請求項１９】請求項１２ないし１７の何れか一項に記載のフィルタ装置において、前記第２のフィルタ手段が無限インパルス応答フィルタ手段であることを特徴とするフィルタ装置。
【請求項２０】請求項１３ないし１９の何れか一項に記載のフィルタ装置において、第２の予測装置の前記第２の予測手段が先行する第２の予測装置の前記第２の合成装置に接続され、最初の第２予測装置の前記第２予測手段が前記入力ポートに接続されていることを特徴とするフィルタ装置。
【請求項２１】請求項１２ないし２０の何れか一項に記載のフィルタ装置において、前記入力信号が１ビット信号であり、前記第１の丸め器装置がSIGN装置であり、前記合成装置が排他的論理和装置であることを特徴とするフィルタ装置。
【請求項２２】入力信号を入力する入力ポートと、
前記入力ポートに接続されたフィルタ構造と、
を含むフィルタ装置であって、前記フィルタ構造が、
前記入力信号の第１のフィルタ処理された信号を発生する第１のフィルタ装置と、
前記第１のフィルタ装置に接続されて、前記第１のフィルタ処理された信号を第１の丸められた信号に丸める第１の丸め器装置と、
前記第１の丸め器装置及び前記入力ポートに接続されて、前記第１の丸められた信号を前記入力信号から減算することにより第１のフィルタ誤差又は符号化された信号を算出する第１の合成装置と、
を含み、当該フィルタ装置が更に前記第１の合成装置に接続された出力ポートを有するようなフィルタ装置において、
前記第１のフィルタ装置が、
ソース信号の第２のフィルタ処理された信号を最新の先行するソース信号に基づいて発生する第２のフィルタ手段と、
前記第２のフィルタ手段に接続されて、前記第２のフィルタ処理された信号を第２の丸められた信号に丸める第２の丸め器装置と、
前記第２の丸め器装置に接続されて、前記ソース信号を前記第２の丸められた信号と合成することにより第２のフィルタ誤差を算出する第２の合成装置と、
を含む少なくとも１つの第２フィルタ装置を含んでいることを特徴とするフィルタ装置。
【請求項２３】入力信号入力手段と、符号化された信号を送信する送信器手段と、前記入力信号入力手段及び前記送信器手段に接続された請求項２２に記載のフィルタ装置とを含んでいることを特徴とするデータ送信装置。
【請求項２４】データ格納装置上にデータを記憶するデータ記憶装置において、データ格納装置のための保持手段と、前記データ格納装置にデータを書き込む書込手段と、入力信号入力手段と、前記入力信号入力手段及び前記書込手段に接続された請求項２２に記載のフィルタ装置とを含むことを特徴とするデータ記憶装置。
【請求項２５】入力信号入力手段と、データ処理手段と、前記入力信号入力手段及び前記データ処理手段に接続された請求項１２ないし２１の何れか一項に記載のフィルタ装置とを含むことを特徴とするデータ処理装置。
【請求項２６】データ入力手段と、オーディオ・ビジュアル出力手段と、請求項１２ないし２１の何れか一項に記載のフィルタ装置とを含むことを特徴とするオーディオ・ビジュアル装置。
【請求項２７】オーディオ・ビジュアル入力手段と、出力手段と、請求項２２に記載のフィルタ装置とを含むことを特徴とするオーディオ・ビジュアル・レコーダ装置。
【請求項２８】請求項１ないし１１の何れか一項に記載の方法を用いてフィルタ処理された信号を表すようなデータを格納するデータ格納装置。